(57)【要約】【課題】フィルタ部材をフレームに接着剤を用いて固定する場合に光が透過する部位への付着を防止する。【解決手段】本発明のイメージセンサユニット１０は、フレーム１１が、集光体５１からイメージセンサ５７に向かって光を通過させる光通過部１４と、光通過部１４の副走査方向における両側に位置し、フィルタ部材６０を支持する支持部１２ａ、１２ｂと、を有し、両側の支持部１２ａ、１２ｂのうち少なくとも何れか一方の支持部１２ａは、光通過部１４と隣接する位置にフィルタ部材６０から離間する方向に形成される切欠部２７ａを有し、フィルタ部材６０は、フィルタ部材６０の側面６３ａと支持部１２ａとの間に充填される接着剤７０を介して支持部１２ａに固定される。【選択図】図１０
2016174222.tif 000002
【特許請求の範囲】
【請求項１】
被照明体を主走査方向に沿って線状に照明する照明部と、
前記被照明体からの光を結像する集光体と、
前記集光体によって結像された光を受光して電気信号に変換するイメージセンサと、
前記イメージセンサを実装するセンサ基板と、
前記照明部、前記集光体および前記センサ基板を収容するフレームと、
前記集光体と前記イメージセンサとの間に位置し、前記集光体によって前記イメージセンサに結像される光のうち所定の波長領域の光をカットするフィルタ部材と、を有するイメージセンサユニットであって、
前記フレームは、
前記集光体から前記イメージセンサに向かって光を通過させる光通過部と、
前記光通過部の副走査方向における両側に位置し、前記フィルタ部材を支持する支持部と、を有し、
前記両側の支持部のうち少なくとも何れか一方の支持部は、前記光通過部と隣接する位置に前記フィルタ部材から離間する方向に形成される切欠部を有し、
前記フィルタ部材は、該フィルタ部材の側面と前記支持部との間に充填される接着剤を介して前記支持部に固定されることを特徴とするイメージセンサユニット。
【請求項２】
前記フレームは、前記フィルタ部材から副走査方向に離れた位置に、前記接着剤の副走査方向への流動を堰き止める副走査方向堰止部を有することを特徴とする請求項１に記載のイメージセンサユニット。
【請求項３】
前記フレームは、前記副走査方向堰止部の主走査方向における両側に、前記接着剤の主走査方向への流動を堰き止める主走査方向堰止部を有することを特徴とする請求項２に記載のイメージセンサユニット。
【請求項４】
前記主走査方向堰止部は、前記フィルタ部材を前記支持部まで案内するように、前記フィルタ部材側の面が傾斜面であることを特徴とする請求項３に記載のイメージセンサユニット。
【請求項５】
前記傾斜面は、前記支持部に向かって延長させたときに、前記支持部のうち前記フィルタ部材を支持する支持面と交差することを特徴とする請求項４に記載のイメージセンサユニット。
【請求項６】
前記切欠部の主走査方向における長さが、前記副走査方向堰止部を挟んで隣り合う前記主走査方向堰止部間の主走査方向における長さよりも長いことを特徴とする請求項３ないし５の何れか１項に記載のイメージセンサユニット。
【請求項７】
前記フレームは、主走査方向に隣り合う前記副走査方向堰止部間に亘って、前記支持部から立設する壁部を有することを特徴とする請求項２ないし６の何れか１項に記載のイメージセンサユニット。
【請求項８】
請求項１ないし７の何れか１項に記載のイメージセンサユニットと、
前記イメージセンサユニットと前記被照明体とを相対的に移動させる移動部と、
を有することを特徴とする画像読取装置。
【請求項９】
請求項１ないし７の何れか１項に記載のイメージセンサユニットと、
前記イメージセンサユニットと前記被照明体とを相対的に移動させる移動部と、
前記イメージセンサユニットにより読み取られた画像を記録媒体に形成する画像形成部と、を有することを特徴とする画像形成装置。
【発明の詳細な説明】
【技術分野】
【０００１】
本発明は、イメージセンサユニット、画像読取装置および画像形成装置に関する。
【背景技術】
【０００２】
線状に照明された被照明体からの光をイメージセンサに結像させることで被照明体の画像を読み取るイメージセンサユニットが知られている。特許文献１には、ロッドレンズとイメージセンサとの間に、赤外光を反射し、可視光を透過させるための赤外カットフィルタが配置された密着イメージセンサが開示されている。特許文献１に開示された赤外カットフィルタは、突状体の鉤部によって筐体に取り付けられる。
【先行技術文献】
【特許文献】
【０００３】
【特許文献１】特開平１１−３２１７７号公報
【発明の概要】
【発明が解決しようとする課題】
【０００４】
ここで、赤外カットフィルタを筐体にズレることなく取り付けるために、接着剤を用いて固定することが考えられる。しかしながら、接着剤を用いて固定しようとした場合、毛細管現象によって接着剤が赤外カットフィルタと筐体との間から漏洩して、光が透過する位置に付着してしまう虞がある。
【０００５】
本発明は、上述したような問題点に鑑みてなされたものであり、フィルタ部材をフレームに接着剤を用いて固定する場合に光が透過する部位への付着を防止することができるイメージセンサユニットなどを提供することを目的とする。
【課題を解決するための手段】
【０００６】
本発明のイメージセンサユニットは、被照明体を主走査方向に沿って線状に照明する照明部と、前記被照明体からの光を結像する集光体と、前記集光体によって結像された光を受光して電気信号に変換するイメージセンサと、前記イメージセンサを実装するセンサ基板と、前記照明部、前記集光体および前記センサ基板を収容するフレームと、前記集光体と前記イメージセンサとの間に位置し、前記集光体によって前記イメージセンサに結像される光のうち所定の波長領域の光をカットするフィルタ部材と、を有するイメージセンサユニットであって、前記フレームは、前記集光体から前記イメージセンサに向かって光を通過させる光通過部と、前記光通過部の副走査方向における両側に位置し、前記フィルタ部材を支持する支持部と、を有し、前記両側の支持部のうち少なくとも何れか一方の支持部は、前記光通過部と隣接する位置に前記フィルタ部材から離間する方向に形成される切欠部を有し、前記フィルタ部材は、該フィルタ部材の側面と前記支持部との間に充填される接着剤を介して前記支持部に固定されることを特徴とする。
本発明の画像読取装置は、上述したイメージセンサユニットと、前記イメージセンサユニットと前記被照明体とを相対的に移動させる移動部と、を有することを特徴とする。
本発明の画像形成装置は、上述したイメージセンサユニットと、前記イメージセンサユニットと前記被照明体とを相対的に移動させる移動部と、前記イメージセンサユニットにより読み取られた画像を記録媒体に形成する画像形成部と、を有することを特徴とする。
【発明の効果】
【０００７】
本発明によれば、フィルタ部材をフレームに接着剤を用いて固定する場合に光が透過する部位への付着を防止することができる。
【図面の簡単な説明】
【０００８】
【図１】図１は、イメージセンサユニットの断面図である。
【図２】図２は、イメージセンサユニットを備えたＭＦＰの外観を示す斜視図である。
【図３】図３は、ＭＦＰの画像形成部の構造を示す概略図である。
【図４】図４は、イメージセンサユニットの分解斜視図である。
【図５】図５は、イメージセンサユニットの一部を示す分解斜視図である。
【図６】図６は、フィルタ部材が固定されたフレームの底面図である。
【図７】図７は、フィルタ取付部の充填部を中心にした拡大斜視図である。
【図８Ａ】図８Ａは、フィルタ取付部の充填部を中心にした平面図である。
【図８Ｂ】図８Ｂは、フィルタ部材を省略した、フィルタ取付部の充填部を中心にした平面図である。
【図９Ａ】図９Ａは、図８ＡのＩ−Ｉ線断面図である。
【図９Ｂ】図９Ｂは、図８ＡのＩＩ−ＩＩ線断面図である。
【図９Ｃ】図９Ｃは、図８ＡのＩＩＩ−ＩＩＩ線断面図である。
【図１０】図１０は、図９Ｂの拡大図である。
【発明を実施するための形態】
【０００９】
以下、本発明を適用できる実施形態について、図面を参照して詳細に説明する。本実施形態は、イメージセンサユニット１０と、このイメージセンサユニット１０が適用される画像読取装置および画像形成装置である。画像読取装置および画像形成装置では、イメージセンサユニット１０が被照明体としての原稿Ｐに光を出射し、反射した光を電気信号に変換することで画像を読み取る。
以下の説明においては、三次元の各方向を、Ｘ，Ｙ，Ｚの各矢印で示す。Ｘ方向が主走査方向であり、Ｙ方向が主走査方向に直角な副走査方向であり、Ｚ方向が垂直方向（上下方向）である。
【００１０】
（第１の実施形態）
まず、本実施形態に係る画像読取装置または画像形成装置の一例である多機能プリンタ（ＭＦＰ；Ｍｕｌｔｉ  Ｆｕｎｃｔｉｏｎ  Ｐｒｉｎｔｅｒ）の構造について図２を参照して説明する。図２は、ＭＦＰ１００の外観を示す斜視図である。図２に示すように、ＭＦＰ１００は、原稿Ｐからの反射光を読み取る画像読取手段としての画像読取部１０２と、記録媒体としてのシート１０１（記録紙）に原稿Ｐの画像を形成（印刷）する画像形成手段としての画像形成部１１３とを備えている。
【００１１】
画像読取部１０２はいわゆるイメージスキャナーの機能を有するものであり、例えば以下のように構成される。画像読取部１０２は、筐体１０３と、原稿載置部としてのガラス製の透明板からなるプラテンガラス１０４と、原稿Ｐを覆うことができるように筐体１０３に対して開閉自在に設けられるプラテンカバー１０５とを備えている。
筐体１０３の内部には、照明装置を備えたイメージセンサユニット１０、保持部材１０６、スライドシャフト１０７、駆動モータ１０８、ワイヤ１０９、信号処理部１１０、回収ユニット１１１、給紙トレイ１１２などが収納されている。
【００１２】
イメージセンサユニット１０は、例えば密着型イメージセンサ（ＣＩＳ；Ｃｏｎｔａｃｔ  Ｉｍａｇｅ  Ｓｅｎｓｏｒ）ユニットである。保持部材１０６は、イメージセンサユニット１０を囲むように保持する。スライドシャフト１０７は、保持部材１０６をプラテンガラス１０４に沿って副走査方向に案内する。駆動モータ１０８は、イメージセンサユニット１０と原稿Ｐとを相対的に移動させる移動部であり、具体的には保持部材１０６に取り付けられたワイヤ１０９を動かす。回収ユニット１１１は筐体１０３に対して開閉自在に設けられ、印刷されたシート１０１を回収する。給紙トレイ１１２は、所定のサイズのシート１０１を収容する。
【００１３】
上述したように構成される画像読取部１０２では、駆動モータ１０８がスライドシャフト１０７に沿ってイメージセンサユニット１０を副走査方向に移動させる。この際、イメージセンサユニット１０はプラテンガラス１０４上に載置された原稿Ｐを光学的に読み取って、電気信号に変換することで、画像の読み取り動作を行う。
【００１４】
図３は画像形成部１１３の構造を示す概略図である。
画像形成部１１３はいわゆるプリンタの機能を有するものであり、例えば以下のように構成される。画像形成部１１３は筐体１０３内部に収容されており、図３に示すように、搬送ローラ１１４と、記録ヘッド１１５とを備えている。記録ヘッド１１５は、例えばシアンＣ、マゼンタＭ、イエローＹ、黒Ｋのインクを備えたインクタンク１１６（１１６ｃ，１１６ｍ，１１６ｙ，１１６ｋ）と、これらのインクタンク１１６にそれぞれ設けられた吐出ヘッド１１７（１１７ｃ，１１７ｍ，１１７ｙ，１１７ｋ）から構成される。また、画像形成部１１３は、記録ヘッドスライドシャフト１１８、記録ヘッド駆動モータ１１９、記録ヘッド１１５に取り付けられたベルト１２０を有している。
【００１５】
上述したように構成される画像形成部１１３では、給紙トレイ１１２から供給されたシート１０１は、搬送ローラ１１４によって記録位置まで搬送される。記録ヘッド１１５は、記録ヘッド駆動モータ１１９によりベルト１２０を機械的に動かすことで、記録ヘッドスライドシャフト１１８に沿って印刷方向（主走査方向）に移動しつつ電気信号を基にシート１０１に対して印刷を行う。印刷終了まで上述した動作を繰り返した後、印刷されたシート１０１は搬送ローラ１１４によって回収ユニット１１１に排出される。
なお、画像形成部１１３としてインクジェット方式による画像形成装置を説明したが、電子写真方式、熱転写方式、ドットインパクト方式などどのような方式であっても構わない。
【００１６】
本実施形態のイメージセンサユニット１０の構成について図面を参照して説明する。図１は、イメージセンサユニット１０を副走査方向に沿って切断した断面図である。図４は、イメージセンサユニット１０の分解斜視図である。図５は、イメージセンサユニット１０の一部を示す分解斜視図である。
【００１７】
イメージセンサユニット１０は、フレーム１１、導光部３５、光源部４０、集光体５１、センサ基板５３、イメージセンサ５７、フィルタ部材６０などを備える。上述した構成部材のうち、導光部３５および光源部４０からなる構成は、照明部の一例であって、照明装置として機能する。また、上述した構成部材のうち、フレーム１１、導光部３５、集光体５１、センサ基板５３、イメージセンサ５７、フィルタ部材６０は、読み取る原稿Ｐの主走査方向の寸法に応じた長さに形成される。
【００１８】
フレーム１１は、イメージセンサユニット１０の各構成部材を収容する。フレーム１１は、主走査方向に長い略直方体であり、内部に各構成部材を位置決めして支持できるように形成される。
図１に示すように、フレーム１１は、水平方向に亘って形成された支持部１２によって上下に区分けされる。支持部１２は、フレーム１１の副走査方向における一方側の側壁１３ａから延びる第１の支持部１２ａと、他方側の側壁１３ｂから延びる第２の支持部１２ｂとを有する。第１の支持部１２ａと第２の支持部１２ｂとの間には、光を通過させるための光通過部１４が主走査方向に沿って形成される。支持部１２は、導光部３５、集光体５１、フィルタ部材６０などを支持する。
【００１９】
フレーム１１は、支持部１２を隔てて上側に形成される第１の収容部１５ａと、下側に形成される第２の収容部１５ｂを有する。
第１の収容部１５ａは、集光体５１を収容する集光体収容部１６と、導光部３５を収容する導光収容部１７とを有する。集光体収容部１６は、光通過部１４の上側に位置し、主走査方向に沿って形成される。集光体５１は、集光体収容部１６に収容された状態で、例えば接着剤を用いて固定される。導光収容部１７は、集光体５１を挟んで第１の導光体収容部１７ａおよび第２の導光体収容部１７ｂを有し、それぞれ主走査方向に沿って形成される。第１の導光体収容部１７ａおよび第２の導光体収容部１７ｂにはそれぞれ、導光部３５を係止するための係止片１８が主走査方向に間隔をあけて複数形成される。係止片１８が弾性変形することで導光部３５が着脱自在に第１の導光体収容部１７ａおよび第２の導光体収容部１７ｂに取り付けられる。
【００２０】
第２の収容部１５ｂは、センサ基板５３を収容するセンサ基板収容部１９と、フィルタ部材６０を取り付けるフィルタ取付部２０とを有する。センサ基板収容部１９は、主走査方向に沿って形成される。センサ基板５３は、センサ基板収容部１９に収容された状態で、例えば熱かしめによって固定される。フィルタ取付部２０は、主走査方向に沿って形成される。フィルタ部材６０は、フィルタ取付部２０を構成する第１の支持部１２ａおよび第２の支持部１２ｂに接した状態であって、両者に跨った状態で接着剤７０を用いて固定される。フィルタ取付部２０の具体的な構成について後述する。
【００２１】
図４に示すように、フレーム１１は、主走査方向における両端に光源部４０が収容される光源収容部２１が形成される。光源収容部２１は、フレーム１１の上下方向に開口し、一部が導光収容部１７に連通する。
フレーム１１は、例えば、黒色に着色された遮光性を有する樹脂材料により形成される。樹脂材料には、例えばポリカーボネートが適用できる。
【００２２】
導光部３５は、主走査方向に沿って原稿Ｐを線状に照明する。本実施形態の導光部３５は、第１の導光体３６ａと第２の導光体３６ｂとを有する。ここでは第１の導光体３６ａを中心に説明する。
第１の導光体３６ａは、主走査方向に長い棒状に形成される。図５に示すように、第１の導光体３６ａは、主走査方向における一方側の端部に光源部４０からの光を入射させる入射面３７が形成される。また、第１の導光体３６ａは、原稿Ｐと対面する面に、第１の導光体３６ａ内に入射された光を原稿Ｐに向かって出射させる出射面３８が形成される。出射面３８は、上側に凸状の円弧状に形成される。また、第１の導光体３６ａは、出射面３８と対向する面に、入射面３７から入射された光を出射面３８に向かって反射させたり、第１の導光体３６ａの長手方向に反射させたりする反射面３９が形成される。また、出射面３８および反射面３９以外の面は、それぞれ入射された光を反射させる反射面として機能する。第１の導光体３６ａは、例えばアクリル系の樹脂などの透明な材料により形成される。
なお、第２の導光体３６ｂは、第１の導光体３６ａに対して集光体５１の中心軸Ｏｃ（図４を参照）に対して対称な構成であり、第１の導光体３６ａと同様に構成される。
【００２３】
光源部４０は、導光部３５に対して光を発する。本実施形態の光源部４０は、第１の光源４１ａと第２の光源４１ｂとを有する。ここでは第１の光源４１ａを中心に説明する。
第１の光源４１ａは、第１の導光体３６ａの入射面３７に対面して配置される。図５に示すように、第１の光源４１ａは、表面に発光素子としてのＬＥＤチップが実装される、いわゆるトップビュータイプの表面実装型のＬＥＤパッケージが適用できる。ここでは、第１の光源４１ａは、青の発光波長の光を発するＬＥＤチップが蛍光体を含んだ樹脂によって封止された状態で配置される。したがって、第１の光源４１ａは白色の光を発する。なお、第１の光源４１ａに配置されるＬＥＤチップは、赤、緑、青の発光波長の光をそれぞれ発する複数のＬＥＤチップであってもよい。また、第１の光源４１ａに配置されるＬＥＤチップは可視光に限られず、原稿Ｐに不可視インクによって印刷された画像を読み取るために、赤外や紫外の発光波長を発するＬＥＤチップであってもよい。
なお、第２の光源４１ｂは、第１の光源４１ａと同様に構成される。
【００２４】
第１の光源４１ａは、配線板４２に実装される。第１の光源４１ａは、配線板４２に形成された配線パターンを介して、外部から電力の供給を受けることで発光する。配線板４２には、複数の位置決め孔４３を介して遮光部材４５が結合される。
遮光部材４５は、遮光部４６と、本体部４７とを有し、副走査方向から見て略Ｌ字状に形成される。遮光部４６は、本体部４７から第１の導光体３６ａに向かって延出する。遮光部４６は、第１の導光体３６ａの主走査方向における一方側の端部に近接した出射面３８を上側から覆う。したがって、遮光部４６によって第１の光源４１ａから直接、原稿Ｐに出射される漏れ光を遮光することができる。本体部４７は、配線板４２の位置決め孔４３に挿入される複数の位置決め突起４８が形成される。また、本体部４７は、略中央に主走査方向に貫通する開口部４９が形成される。第１の光源４１ａが実装された配線板４２と、遮光部材４５とが位置決め孔４３および位置決め突起４８を介して結合されると、開口部４９内に第１の光源４１ａが配置される。
第１の光源４１ａを実装した配線板４２と、遮光部材４５とが結合された状態で、フレーム１１の光源収容部２１内に配置される。
なお、第２の光源４１ｂも、第１の光源４１ａと同様、配線板４２に実装され、配線板４２には遮光部材４５が結合される。
【００２５】
集光体５１は、原稿Ｐからの光をイメージセンサ５７上に結像する。集光体５１は、例えば複数の正立等倍結像型の結像素子（ロッドレンズ）が主走査方向に直線状に配列されるロッドレンズアレイが適用できる。なお、集光体５１は、イメージセンサ５７上に結像できればよく、上述した構成に限定されない。集光体５１には各種マイクロレンズアレイなど、従来公知の各種集光機能を有する光学部材が適用できる。
【００２６】
センサ基板５３は、実装面５４上にイメージセンサ５７や、第１の光源４１ａ、第２の光源４１ｂを発光させたりイメージセンサ５７を駆動させたりするための駆動回路などを実装する。センサ基板５３は、主走査方向を長手方向とする平板状に形成される。センサ基板５３は、主走査方向における一方側の端部および他方側の端部に、配線板４２を接合するために接合孔５５が形成される。配線板４２は、センサ基板５３の接合孔５５に挿入された状態で半田付けなどによって接合されることで、センサ基板５３の駆動回路と第１の光源４１ａおよび第２の光源４１ｂとが電気的に接続される。
【００２７】
イメージセンサ５７は、集光体５１によって結像された光を受光して電気信号に変換する。イメージセンサ５７は、集光体５１の下側に配置される。図５に示すように、イメージセンサ５７は、イメージセンサユニット１０の読み取りの解像度に応じた複数の受光素子（受光素子は光電変換素子ということもある）から構成されるイメージセンサＩＣ５８の所定数をセンサ基板５３の実装面５４上に主走査方向に直線状に配列して実装される。なお、イメージセンサ５７は、原稿Ｐから反射された光を電気信号に変換できるものであればよく、上述した構成に限定されない。イメージセンサＩＣ５８には、従来公知の各種イメージセンサＩＣが適用できる。
【００２８】
フィルタ部材６０は、集光体５１によってイメージセンサ５７に結像される光のうち所定の波長領域の光をカットする。フィルタ部材６０は、主走査方向を長手方向とする棒状であって、断面形状が矩形状に形成される。具体的に、フィルタ部材６０にはフィルタ入射面６１、フィルタ出射面６２および側面６３ａ、６３ｂが形成される。フィルタ入射面６１には、集光体５１からの光が入射する。フィルタ入射面６１の一部は、フレーム１１の支持部１２に支持される。フィルタ出射面６２は、フィルタ部材６０内でカットした波長領域以外の光を出射する。側面６３ａ、６３ｂは、支持部１２とは接しない面であって、接着剤７０の塗布面を構成する。また、フィルタ部材６０は、集光体５１とイメージセンサ５７との間の位置で、フレーム１１のフィルタ取付部２０に固定される。本実施形態のフィルタ部材６０は、赤外の発光波長の光をカットする。フィルタ部材６０には、例えば蒸着ガラスが適用できる。
【００２９】
上述したように構成されるイメージセンサユニット１０では、第１の光源４１ａおよび第２の光源４１ｂを発光させることにより、図１に示すように、第１の導光体３６ａおよび第２の導光体３６ｂから原稿Ｐの下面に対して矢印Ｒ１、Ｒ２に示すように光を出射する。したがって、原稿Ｐには読取ラインＳ（主走査方向）に沿って線状に光が出射される。この光は原稿Ｐによって反射されることで、集光体５１を介して光がイメージセンサ５７上に結像される。このとき、フィルタ部材６０が赤外の発光波長の光をカットすることによりノイズが結像されるのを防止する。イメージセンサ５７は、結像された光を電気信号に変換することで、原稿Ｐの下面の画像を読み取ることができる。
【００３０】
イメージセンサ５７が光を１走査ライン分読み取ることで、原稿Ｐの主走査方向における１走査ラインの読み取り動作を完了する。１走査ラインの読み取り動作終了後、原稿Ｐの副走査方向への相対的な移動に伴い、上述する動作と同様に次の１走査ライン分の読み取り動作が行われる。このようにイメージセンサユニット１０が副走査方向に移動しながら１走査ライン分ずつ読み取り動作を繰り返すことで、原稿Ｐの全面が順次走査されることで画像の読み取りが行われる。
【００３１】
上述したように構成されるイメージセンサユニット１０では、フィルタ部材６０をフレーム１１のフィルタ取付部２０にズレないように固定するために、フィルタ取付部２０に充填した接着剤７０によってフィルタ部材６０を固定する。このとき、接着剤７０が毛細管現象によって支持部１２とフィルタ部材６０との間を浸透し、フィルタ入射面６１のうち光が透過する位置にまで接着剤が付着してしまうことがある。この場合、フィルタ部材６０に付着した接着剤によって、イメージセンサ５７が原稿Ｐの画像を精度よく読み取ることができない。
【００３２】
そこで、本実施形態のフィルタ取付部２０は、接着剤がフィルタ部材６０の光が透過する位置に付着しないように構成した。以下、具体的な構成について図６〜図１０を参照して説明する。なお、フィルタ部材６０をフィルタ取付部２０に取り付ける場合には、フレーム１１の上下を反転させた状態で行うために、図６〜図１０の各図は上下方向を反転させた状態で図示している。したがって、以下では理解を容易にするために上下方向を原稿側および筐体側を用いて表現する。
【００３３】
図６は、フィルタ部材６０が固定されたフレーム１１の底面図であり、センサ基板５３を省略して図示している。
本実施形態のフィルタ取付部２０は、接着剤を充填する充填部２２、接着剤を充填しない非充填部２３、充填部２２と非充填部２３との境界である境界部２４を有している。
図６に示すように、フィルタ取付部２０のうち大部分が非充填部２３であり、主走査方向に間隔をあけて充填部２２が位置する。
【００３４】
図７は、図６に示すＡ部、すなわち充填部２２を中心に拡大した拡大斜視図である。図８Ａは、図６に示すＡ部を拡大した拡大図である。図８Ｂは、図８Ａから、フィルタ部材６０および接着剤７０を省略して示した図である。図９Ａは、図８ＡのＩ−Ｉ線断面図、すなわち非充填部２３の断面形状である。図９Ｂは、図８ＡのＩＩ−ＩＩ線断面図、すなわち充填部２２の断面形状である。図９Ｃは、図８ＡのＩＩＩ−ＩＩＩ線断面図、すなわち境界部２４の断面形状である。
【００３５】
まず、非充填部２３の断面形状について、図９Ａを参照して説明する。
光通過部１４を挟んだ副走査方向の両側には、第１の支持部１２ａと第２の支持部１２ｂが位置する。光通過部１４は、筐体側（図９Ａにおいて上側）に向かうにしたがって副走査方向の幅が広がるように形成される。図９Ａに示すように、第１の支持部１２ａの支持面２５ａおよび第２の支持部１２ｂの支持面２５ｂは、フィルタ部材６０のフィルタ入射面６１のうち副走査方向における両側と接することでフィルタ部材６０を支持する。したがって、フィルタ入射面６１のうち副走査方向の中央では支持部１２と接しないために、光通過部１４を介してフィルタ入射面６１に光が入射される。フィルタ部材６０と支持部１２とが接しない副走査方向の幅を、以下では非接触幅という。ここでは、非接触幅がＷ１である。
【００３６】
また、図９Ａに示すように、非充填部２３は、第１の支持部１２ａの支持面２５ａおよび第２の支持部１２ｂの支持面２５ｂから筐体側に向かって立設する第１の壁部２６ａおよび第２の壁部２６ｂを有する。第１の壁部２６ａおよび第２の壁部２６ｂは、それぞれ主走査方向に沿って形成され、フィルタ部材６０の側面６３ａおよび側面６３ｂと対面する。
【００３７】
第１の壁部２６ａおよび第２の壁部２６ｂは、第１の支持部１２ａの支持面２５ａおよび第２の支持部１２ｂの支持面２５ｂからの高さＨ１がそれぞれフィルタ部材６０の厚みＴよりも高く形成される。また、光通過部１４の中心線Ｏｌから第１の壁部２６ａまでの距離Ｌ１ａは、光通過部１４の中心線Ｏｌから第２の壁部２６ｂまでの距離Ｌ１ｂよりも長く形成される。
第１の壁部２６ａおよび第２の壁部２６ｂは、センサ基板収容部１９にセンサ基板５３が収容された状態では、イメージセンサ５７を挟んだ副走査方向の両側に位置する（図１を参照）。したがって、第１の壁部２６ａおよび第２の壁部２６ｂは、フレーム１１内に入射した迷光を遮光し、迷光がイメージセンサ５７に結像されてしまうことを防止する。
【００３８】
次に、充填部２２の断面形状について、図９Ｂを参照して説明する。
充填部２２は、非充填部２３と同様、第１の支持部１２ａの支持面２５ａおよび第２の支持部１２ｂの支持面２５ｂがフィルタ部材６０のフィルタ入射面６１のうち副走査方向における両側と接することでフィルタ部材６０を支持する。一方、非充填部２３と異なり、充填部２２の第１の支持部１２ａおよび第２の支持部１２ｂには、光通過部１４と隣接する位置に溝状の切欠部２７ａおよび切欠部２７ｂが形成される。切欠部２７ａおよび切欠部２７ｂは、後述するように漏洩した接着剤７０を貯留させる貯留部として機能する。
【００３９】
切欠部２７ａおよび切欠部２７ｂは、それぞれ支持面２５ａおよび支持面２５ｂを段掘りすることで形成される。切欠部２７ａおよび切欠部２７ｂは、それぞれフィルタ入射面６１から所定の距離だけ離間して、フィルタ入射面６１と平行かつ水平な平面２８ａおよび平面２８ｂが形成される。このように、切欠部２７ａおよび切欠部２７ｂを形成したことにより、充填部２２における非接触幅Ｗ２は、図９Ａに示す非接触幅Ｗ１よりも広く形成される。
【００４０】
充填部２２は、第１の壁部２６ａおよび第２の壁部２６ｂが形成されておらず、接着剤を充填するノズルが自由に移動できるように形成される。一方、充填部２２は、フィルタ部材６０の側面６３ａおよび側面６３ｂにそれぞれ対面した位置に段部２９ａおよび段部２９ｂが傾斜して形成される。段部２９ａおよび段部２９ｂは、第１の支持部１２ａの支持面２５ａおよび第２の支持部１２ｂの支持面２５ｂよりも高く形成される。なお、段部２９ａおよび段部２９ｂの支持面２５ａおよび支持面２５ｂからの高さＨ２は、接着剤を充填するノズルが干渉しないように、フィルタ部材６０の厚みＴよりも低く形成される。
接着剤７０は、フィルタ部材６０が第１の支持部１２ａおよび第２の支持部１２ｂに支持された状態で、第１の支持部１２ａとフィルタ部材６０の側面６３ａとの間、および、第２の支持部１２ｂとフィルタ部材６０の側面６３ｂとの間に充填される。このとき、段部２９ａおよび段部２９ｂは、充填された接着剤７０が硬化するまで副走査方向に流動しないように堰き止める。このように、段部２９ａおよび段部２９ｂは、接着剤７０が副走査方向に流動しないように堰き止める副走査方向堰止部として機能する。フィルタ部材６０は、硬化された接着剤７０を介してフレーム１１の支持部１２に固定される。なお、接着剤７０には例えば、紫外線によって硬化する紫外線硬化型接着剤が適用できる。
【００４１】
次に、境界部２４の断面形状について、図９Ｃを参照して説明する。
境界部２４は、充填部２２と同様に、光通過部１４と隣接する位置に切欠部２７ａおよび切欠部２７ｂが形成される。
また、境界部２４は、非充填部２３と同様に、第１の壁部２６ａおよび第２の壁部２６ｂが形成される。したがって、第１の壁部２６ａは主走査方向で隣り合う段部２９ａ間に亘って形成され、第２の壁部２６ｂは主走査方向で隣り合う段部２９ｂ間に亘って形成される。
一方、非充填部２３と異なり、境界部２４は、第１の支持部１２ａの支持面２５ａから筐体側（図９Ｃにおいて上側）に向かって立設する壁部３０を有する。したがって、図８Ａおよび図８Ｂに示すように平面視で、壁部３０は段部２９ａの主走査方向における両側に形成される。
【００４２】
壁部３０は、第１の壁部２６ａからフィルタ部材６０に向かって延出する。したがって、境界部２４では、光通過部１４の中心線Ｏｌから壁部３０の距離Ｌ３ａが、図９Ａに示す光通過部１４の中心線Ｏｌから第１の壁部２６ａまでの距離Ｌ１ａよりも短く形成される。壁部３０は、充填部２２に充填された接着剤７０が硬化するまで主走査方向、すなわち非充填部２３に流動しないように堰き止める。このように壁部３０は、接着剤７０を主走査方向に流動しないように堰き止める主走査方向堰止部として機能する。
【００４３】
また、壁部３０のうち、フィルタ部材６０側には傾斜面３１が形成される。傾斜面３１は、筐体側から挿入されるフィルタ部材６０（図９Ｃの二点鎖線で示すフィルタ部材６０）を支持部１２まで案内する。したがって、傾斜面３１によってフィルタ部材６０を第１の壁部２６ａと第２の壁部２６ｂとの間に容易に挿入することができる。なお、図９Ｃの二点鎖線で示すように、傾斜面３１は、傾斜面３１を原稿側に向かって延長させたときに切欠部２７ａまで到らずに第１の支持部１２ａの支持面２５ａと交差する傾斜角度に形成している。したがって、フィルタ部材６０が傾斜面３１によって案内されたときに、フィルタ部材６０が切欠部２７ａ内に挿入されてしまうことを防止する。
【００４４】
次に、切欠部２７ａおよび切欠部２７ｂの作用について図１０を参照して説明する。
図１０は、図９Ｂを拡大した図である。
図１０に示すように、接着剤７０は、第１の支持部１２ａとフィルタ部材６０の側面６３ａとの間、および、第２の支持部１２ｂとフィルタ部材６０の側面６３ｂとの間に充填される。充填された接着剤７０の一部は毛細管現象によってフィルタ入射面６１と支持面２５ａとの間、および、フィルタ入射面６１と支持面２５ｂとの間から漏洩する。このとき、漏洩した接着剤７１は、光通過部１４に隣接して形成された切欠部２７ａおよび切欠部２７ｂ内に貯留される。したがって、接着剤７１は、フィルタ入射面６１のうち、光が透過する部位（図１０に示すようにＩ部）に付着することを防止することができる。ここで、光が透過する部位とは、光通過部１４のうち最も狭い通過幅をフィルタ入射面６１に投影させた領域をいう。なお、切欠部２７ａおよび切欠部２７ｂは、フィルタ入射面６１と平行かつ水平な平面２８ａおよび平面２８ｂが形成されていることから、接着剤７１が硬化していない状態であっても光通過部１４に向かって流動することを防止する。なお、平面２８ａおよび平面２８ｂは、水平である場合に限られず、図１０の二点鎖線で示すように、光通過部１４側が高くなるように傾斜していてもよい。
【００４５】
また、図８Ｂに示すように、切欠部２７ａおよび切欠部２７ｂは、主走査方向の長さｌｇが段部２９ａおよび段部２９ｂの長さ（充填部２２の長さ）Ｌｆよりも長く形成される。ここでは、切欠部２７ａおよび切欠部２７ｂは、壁部３０を越えた位置（境界部２４を越えて非充填部２３）まで形成される。したがって、接着剤７１が多く漏洩したとしても、主走査方向に長く形成された切欠部２７ａおよび切欠部２７ｂによって接着剤７１を貯留させることができる。
【００４６】
このように、本実施形態のイメージセンサユニット１０は、光通過部１４の副走査方向における両側に位置し、フィルタ部材６０を支持する支持部１２が、光通過部１４と隣接する位置にフィルタ部材６０から離間する方向に形成される切欠部２７ａ、２７ｂを有する。したがって、フィルタ部材６０と支持部１２との間から漏洩した接着剤７１は、切欠部２７ａおよび切欠部２７ｂ内に貯留される。したがって、接着剤７１がフィルタ入射面６１のうち、光が透過する部位に付着することを防止することができる。
【００４７】
以上、本発明を上述した実施形態と共に説明したが、本発明は上述した実施形態にのみ限定されるものではなく、本発明の範囲内で変更などが可能である。
本実施形態のフレーム１１は、第１の支持部１２ａおよび第２の支持部１２ｂに切欠部２７ａおよび切欠部２７ｂを形成する場合について説明したが、この場合に限られない。すなわち、第１の支持部１２ａおよび第２の支持部１２ｂの何れか一方のみに切欠部を形成してもよい。この場合、切欠部が形成された側にのみ接着剤７０を充填することが好ましい。
【００４８】
本実施形態の導光部３５は、第１の導光体３６ａおよび第２の導光体３６ｂを有する場合について説明したが、この場合に限られず、第１の導光体３６ａおよび第２の導光体３６ｂの何れか１つのみであってもよい。
本実施形態の光源部４０は、第１の光源４１ａおよび第２の光源４１ｂを有する場合について説明したが、この場合に限られず、第１の光源４１ａおよび第２の光源４１ｂの何れか１つのみであってもよい。
本実施形態の照明部は、導光部３５および光源部４０から構成される場合について説明したが、この場合に限られず、例えばＬＥＤアレイのように、ＬＥＤパッケージを主走査方向に配列させることで原稿Ｐを線状に照明してもよい。
【００４９】
本実施形態のフレーム１１は、フィルタ取付部２０が充填部２２、非充填部２３、境界部２４を有する場合について説明したが、この場合に限られず、フィルタ取付部２０は充填部２２のみであってもよい。
本実施形態のフレーム１１は、境界部２４の壁部３０に傾斜面３１を形成する場合について説明したが、この場合に限られず、傾斜面３１を形成しなくてもよい。
本実施形態のフィルタ部材６０は、赤外の波長領域の光をカットする場合について説明したが、この場合に限られず、所望する波長領域の光をカットできるように構成されていればよい。
【符号の説明】
【００５０】
１０：イメージセンサユニット  １１：フレーム  １２：支持部  １２ａ：第１の支持部  １２ｂ：第２の支持部  １４：光通過部  ２０：フィルタ取付部  ２２：充填部  ２３：非充填部  ２４：境界部  ２６ａ：第１の壁部  ２６ｂ：第２の壁部  ２７ａ、２７ｂ：切欠部  ３１：傾斜面  ５１：集光体  ５３：センサ基板  ５７：イメージセンサ  ６０：フィルタ部材  ７０：接着剤  ７１：接着剤  １００：ＭＦＰ（画像読取装置、画像形成装置）  １０２：画像読取部  １１３：画像形成部
【図１】
2016174222.tif 000003
【図２】
2016174222.tif 000004
【図３】
2016174222.tif 000005
【図４】
2016174222.tif 000006
【図５】
2016174222.tif 000007
【図６】
2016174222.tif 000008
【図７】
2016174222.tif 000009
【図８Ａ】
2016174222.tif 000010
【図８Ｂ】
2016174222.tif 000011
【図９Ａ】
2016174222.tif 000012
【図９Ｂ】
2016174222.tif 000013
【図９Ｃ】
2016174222.tif 000014
【図１０】
2016174222.tif 000015